(57)【要約】【課題】設備の荷重が鋼製デッキの山頂面に局部的に作用しないようにしたデッキ下地屋根の設備設置用基礎を提供する。【解決手段】デッキ下地屋根の設備設置用基礎２００は、梁９０の直上で鋼製デッキ１０の谷底面１４ｂに取り付けられた下部部材２０と、下部部材２０および山頂面１３ａ、１３ｂに設置されたベース下部材５０と、ベース下部材５０の上に設置された屋根断熱材９１と、屋根断熱材９１の上に載置されたベース上部材６０と、屋根防水シート９２を介してベース上部材６０に載置され、部材固定ボルト８１によって下部部材２０に連結されると共に、タッピンねじ８７によって鋼製デッキ１０の山頂面１３ａ、１３ｂに連結された上部部材４０とを有し、ベース上部材６０に形成されたベース支柱６３が屋根断熱材９１に突き刺さり、その支柱先端平面６４がベース下部材５０に当接している。【選択図】図１
2014185456.tif 000002
【特許請求の範囲】
【請求項１】
構造物を形成する梁の内の一対の梁に長手方向の端部がそれぞれ設置されたデッキ下地屋根に取り付けられる、デッキ下地屋根の設備設置用基礎であって、
前記デッキ下地屋根が、曲げ加工された板金によって形成され、山頂面と、該山頂面に平行な谷底面と、前記山頂面と前記谷底面とを連結する傾斜面とから形成された波状断面の鋼製デッキと、前記山頂面に載置された屋根断熱材と、該屋根断熱材に載置された屋根防水シートと、を具備し、
前記一対の梁のうち一方の梁の直上で前記鋼製デッキの谷底面に取り付けられた下部部材と、前記鋼製デッキの山頂面と前記屋根断熱材との間に配置されたベース下部材と、前記屋根断熱材と前記屋根防水シートとの間に配置されたベース上部材と、前記屋根防水シートを介して前記ベース上部材に載置された上部部材と、該上部部材の一部と前記屋根防水シートの一部とに跨がって設置された防水補強シートと、を有し、
前記上部部材が、前記ベース下部材、前記屋根断熱材、前記ベース上部材および屋根防水シートを貫通する中心固定手段によって前記下部部材に連結されると共に、前記ベース下部材、前記屋根断熱材、前記ベース上部材および屋根防水シートを貫通する周囲固定手段によって前記鋼製デッキの山頂面に連結され、
前記ベース上部材に形成されたベース支柱が、前記屋根断熱材に突き刺さり、その先端が前記ベース下部材に当接していることを特徴とするデッキ下地屋根の設備設置用基礎。
【請求項２】
前記ベース支柱は、前記屋根断熱材の厚さと略同じ長さの棒体であって、先端部分がテーパ状に細くなると共に、先端に長手方向に垂直な平面が形成されていることを特徴とする請求項１記載のデッキ下地屋根の設備設置用基礎。
【請求項３】
前記鋼製デッキは、前記傾斜面の前記谷底面に近い位置に前記谷底面と平行で互いに近づく方向に突出するように形成された突条と、該突条と前記谷底面との間に形成された凹溝とを具備し、
前記下部部材が、下部天面および該下部天面の両側縁にそれぞれ延設された下部側面とから形成された断面略Ｕ字状の下部本体部と、前記下部側面のそれぞれの端部から互いに離れる方向に突出して形成された下部脚部と、前記下部天面に形成された下部貫通孔とを具備し、
前記下部脚部の先端縁が前記凹溝に侵入していることを特徴とする請求項１または２記載のデッキ下地屋根の設備設置用基礎。
【請求項４】
前記上部部材が、上部天面および該上部天面の周囲に延設された上部側面から形成された上部本体部と、前記上部側面に固定された板状の上部底面部とを具備し、
前記中心固定手段は、前記下部貫通孔、前記ベース下部材の天面に形成された中心貫通孔、前記屋根断熱材に形成された屋根断熱材貫通孔、前記ベース上部材に形成された中心貫通孔、および前記屋根防水シートに形成されたシート貫通孔を貫通する部材固定ボルトと、該部材固定ボルトに螺合し、断熱材を介して前記下部部材の下部天面を挟圧する中間ナットと、前記上部部材の上部底面部の中心に固定され、前記部材固定ボルトに螺合する上部ナットと、を具備することを特徴とする請求項１〜３の何れか一項に記載のデッキ下地屋根の設備設置用基礎。
【請求項５】
前記上部部材が、上部天面および該上部天面の周囲に延設された上部側面から形成された上部本体部と、前記上部側面に固定された板状の上部底面部と、該上部底面部の周辺寄りに形成されて周囲貫通孔とを具備し、
前記周囲固定手段は、前記上部底面部に形成されて周囲貫通孔および前記ベース上部材を貫通し、前記ベース下部材および前記鋼製デッキの山頂面に螺合するタッピンねじであることを特徴とする請求項１〜４の何れか一項に記載のデッキ下地屋根の設備設置用基礎。
【請求項６】
前記防水補強シートは、前記上部部材の上部側面の一部または全部を包囲するシート筒状部と、該シート筒状部の一方の端部に連続して外方に向かって形成された平面状のシートフランジ部とを具備し、前記シート筒状部と前記上部側面とが溶剤系若しくは加熱溶融系等の接着手段によって接着され、前記シートフランジ部の外周が前記屋根防水シートに同様な接着手段によって接着されていること、および前記シート筒状部の端部と前記上部側面とが、防水シール等の接着手段によって接着され、シートフランジ部の外周が前記屋根防水シートに防水シール等の接着手段によって接着されていることを特徴とする請求項４または５記載のデッキ下地屋根の設備設置用基礎。
【請求項７】
前記下部部材の下部脚部の一部が、前記突条または谷底面の位置に隅肉溶接またはビス留めによって固定されていることを特徴とする請求項１〜６の何れか一項に記載のデッキ下地屋根の設備設置用基礎。
【請求項８】
前記下部部材の下部脚部に前記先端縁に対して傾斜した逃げ縁が形成され、
前記逃げ縁同士の距離が、前記鋼製デッキの突条の先端同士の間隔よりも狭いことを特徴とする請求項１〜７の何れか一項に記載のデッキ下地屋根の設備設置用基礎。
【請求項９】
構造物を形成する梁の内の一対の梁に長手方向の端部がそれぞれ設置されたデッキ下地屋根に設備設置用基礎を取り付ける、デッキ下地屋根の設備設置用基礎の施工方法であって、
前記デッキ下地屋根が、曲げ加工された板金によって形成され、山頂面と、該山頂面に平行な谷底面と、前記山頂面と前記谷底面とを連結する傾斜面とから形成された波状断面の鋼製デッキと、前記山頂面に載置された屋根断熱材と、該屋根断熱材に載置された屋根防水シートと、を具備し、
前記設備設置用基礎が、前記一対の梁のうち一方の梁の直上で前記鋼製デッキの谷底面に取り付けられた下部部材と、前記鋼製デッキの山頂面と前記屋根断熱材との間に配置されたベース下部材と、前記屋根断熱材と前記屋根防水シートとの間に配置されたベース上部材と、前記屋根防水シートを介して前記ベース上部材に載置された上部部材と、該上部部材の一部と前記屋根防水シートの一部とに跨がって設置された防水補強シートと、を具備し、
前記下部部材と前記ベース下部材とを部材固定ボルトおよび該部材固定ボルトに螺合する中間ナットによって一体化する第１ステップと、
前記下部部材と前記ベース下部材とが一体化された一体物を前記デッキ下地屋根に取り付ける第２ステップと、
前記ベース下部材の上に前記部材固定ボルトが貫通する前記屋根断熱材を設置する第３ステップと、
前記屋根断熱材の上に前記部材固定ボルトが貫通する前記ベース上部材を設置する第４ステップと、
前記ベース上部材および前記屋根断熱材を覆い、前記部材固定ボルトが貫通する前記屋根防水シートを設置する第５ステップと、
前記屋根防水シートを介して前記ベース上部材の上に前記上部部材を設置して、前記部材固定ボルトに螺合する上部ナットによって、前記上部部材を前記下部部材に連結する第６ステップと、
前記上部部材と前記屋根防水シートとに跨がって前記防水補強シートを設置する第７ステップとを有することを特徴とするデッキ下地屋根の設備設置用基礎の施工方法。
【請求項１０】
前記第４ステップにおいて、前記ベース上部材、前記屋根断熱材および前記デッキ下地屋根の山頂部を貫通するタッピンネジを設置して、前記ベース上部材を前記デッキ下地屋根の山頂部に連結することを特徴とする請求項９記載のデッキ下地屋根の設備設置用基礎の施工方法。
【請求項１１】
前記第６ステップまたは前記第７ステップにおいて、少なくとも前記上部部材、前記屋根防水シート、前記ベース上部材、前記屋根断熱材および前記デッキ下地屋根の山頂部を貫通するタッピンネジを設置して、前記上部部材を前記デッキ下地屋根の山頂部に連結することを特徴とする請求項９記載のデッキ下地屋根の設備設置用基礎の施工方法。
【請求項１２】
前記ベース上部材に、前記屋根断熱材の厚さと略同じ長さの棒体であるベース支柱が形成され、
前記第４ステップにおいて、前記ベース支柱が、前記屋根断熱材に突き刺さり、その先端が前記ベース下部材に当接することを特徴とする請求項９記載のデッキ下地屋根の設備設置用基礎の施工方法。
【発明の詳細な説明】
【技術分野】
【０００１】
本発明はデッキ下地屋根の設備設置用基礎およびその施工方法、特に、鋼製のデッキプレート（以下、単に「鋼製デッキ」と称す）によって形成されたデッキ下地屋根に、各種設備を設置するための基礎である、デッキ下地屋根の設備設置用基礎、およびその施工方法に関する。
【背景技術】
【０００２】
従来から、自然エネルギ（太陽光）を有効利用して発電をするためのソーラパネルユニットや水加熱をするための温水ユニット等の設備、あるいは、エアコンの室外ユニット等の設備を建造物の屋根に固定するために、設備設置用基礎が屋根に設置されている。
そして、コンクリート製の設備設置用基礎によって屋根面への荷重が増加するという問題を解消し、かつ防水性能を確保して、設備を安定して設置するための屋根の架台設置構造が開示されている（例えば、特許文献１参照）。
【先行技術文献】
【特許文献】
【０００３】
【特許文献１】特開２０１１−２０８３６１号公報（第５−６頁、図３Ａ）
【発明の概要】
【発明が解決しようとする課題】
【０００４】
特許文献１に開示された発明は、断面波状（断面台形状の山部分と断面台形状の谷部分とが交互に幅方向に連続している）のデッキプレート（以下「鋼製デッキ」と称す）と、該鋼製デッキの山部分の上面に設置された断熱材とから形成された屋根において、頭部と一対の脚部を具備する断面コ字状の受け金具と、受け金具の頭部に載置されたリップ溝形鋼である嵩上げ台と、嵩上げ台に設置された固定レールとを有している。
【０００５】
受け金具は、一対の脚部が断面材の上面から突き刺されて、一対の脚部の下端（先端）が鋼製デッキの山部分の上面に押し当てられ、頭部は断熱材の上面と略同じレベルになっている。そして、受け金具の頭部と断熱材の上面とを覆う防水シートが設置され、受け金具の頭部に防水シートを介して嵩上げ台のリップ（フランジの下端）が位置した状態で、受け金具と嵩上げ台とは、受け金具の頭部と嵩上げ台のウエッブとを貫通するドリル付きタッピンねじによって、鋼製デッキの山部分に防水シートを介して固定されている。さらに、嵩上げ台は防水覆い材で覆われ、防水覆い材の上面に載置された固定レールが、防水覆い材を介してドリル付きタッピンねじによって固定レールに固定されている。
【０００６】
すなわち、特許文献１に開示された発明では、ソーラパネルユニット等の設備が固定レールに設置されるため、かかる設備の荷重が鋼製デッキの山部分に局部的に作用する構造になっている。このため、以下のような問題があった。
（あ）設備の上からの荷重が鋼製デッキの山部分に集中するため、設備の自重、風や地震等による荷重によって、鋼製デッキの山部分（上フランジ）の受け具の脚部が押し当てられた位置や、該位置の近傍のウエッブ（山部分の上面と谷部分の下面との間の斜面部分）が、局部的な変形、座屈あるいは圧壊をするおそれがある。
（い）仮に、圧壊した場合には、鋼製デッキは局部的な変形によって、荷重を支持することができなくなるため、屋根自体の変形や崩壊に至るおそれがある。特に、ウエッブの座屈は鋼材にとって、避けなければならない破壊形式である。
（う）さらに、局部的な変形等に伴って、断熱材が沈下や割れたり、防水シートが沈下や断裂したりして、断熱機構や防水機能の崩壊が懸念される。
【０００７】
（え）さらに、受け具が、鋼製デッキを支持する支持梁から離れた位置（支持スパンの中央寄りの位置）に設置された場合には、鋼製デッキの曲げ変形によって、鋼製デッキの山部分には支持スパンの方向に平行な圧縮力が作用するため、前記局部的な変形が助長されることになる。
（お）したがって、このとき、支持スパンを小さく（支持梁の間隔を狭く）したり、鋼製デッキを強化（厚肉化、高品質化）したりする必要が生じ、特に、既存の屋根に取り付ける際の自由度が低下する（設置が困難になる場合がある）。
【０００８】
本発明は、前記問題を解決するものであって、設備の荷重が鋼製デッキの山部分に局部的に作用しないようにするデッキ下地屋根の設備設置用基礎およびその施工方法を提供することを目的とする。
【課題を解決するための手段】
【０００９】
（１）本発明に係るデッキ下地屋根の設備設置用基礎は、構造物を形成する梁の内の一対の梁に長手方向の端部がそれぞれ設置されたデッキ下地屋根に取り付けられる、デッキ下地屋根の設備設置用基礎であって、
前記デッキ下地屋根が、曲げ加工された板金によって形成され、山頂面と、該山頂面に平行な谷底面と、前記山頂面と前記谷底面とを連結する傾斜面とから形成された波状断面の鋼製デッキと、前記山頂面に載置された屋根断熱材と、該屋根断熱材に載置された屋根防水シートと、を具備し、
前記一対の梁のうち一方の梁の直上で前記鋼製デッキの谷底面に取り付けられた下部部材と、前記鋼製デッキの山頂面と前記屋根断熱材との間に配置されたベース下部材と、前記屋根断熱材と前記屋根防水シートとの間に配置されたベース上部材と、前記屋根防水シートを介して前記ベース上部材に載置された上部部材と、該上部部材の一部と前記屋根防水シートの一部とに跨がって設置された防水補強シートと、を有し、
前記上部部材が、前記ベース下部材、前記屋根断熱材、前記ベース上部材および屋根防水シートを貫通する中心固定手段によって前記下部部材に連結されると共に、前記ベース下部材、前記屋根断熱材、前記ベース上部材および屋根防水シートを貫通する周囲固定手段によって前記鋼製デッキの山頂面に連結され、
前記ベース上部材に形成されたベース支柱が、前記屋根断熱材に突き刺さり、その先端が前記ベース下部材に当接していることを特徴とする。
【００１０】
（２）また、前記（１）において、前記ベース支柱は、前記屋根断熱材の厚さと略同じ長さの棒体であって、先端部分がテーパ状に細くなると共に、先端に長手方向に垂直な平面が形成されていることを特徴とする。
（３）また、前記（１）または（２）において、前記鋼製デッキは、前記傾斜面の前記谷底面に近い位置に前記谷底面と平行で互いに近づく方向に突出するように形成された突条と、該突条と前記谷底面との間に形成された凹溝とを具備し、
前記下部部材が、下部天面および該下部天面の両側縁にそれぞれ延設された下部側面とから形成された断面略Ｕ字状の下部本体部と、前記下部側面のそれぞれの端部から互いに離れる方向に突出して形成された下部脚部と、前記下部天面に形成された下部貫通孔とを具備し、
前記下部脚部の先端縁が前記凹溝に侵入していることを特徴とする。
【００１１】
（４）また、前記（１）〜（３）の何れかにおいて、前記上部部材が、上部天面および該上部天面の周囲に延設された上部側面から形成された上部本体部と、前記上部側面に固定された板状の上部底面部とを具備し、
前記中心固定手段は、前記下部貫通孔、前記ベース下部材の天面に形成された中心貫通孔、前記屋根断熱材に形成された屋根断熱材貫通孔、前記ベース上部材に形成された中心貫通孔、および前記屋根防水シートに形成されたシート貫通孔を貫通する部材固定ボルトと、該部材固定ボルトに螺合し、断熱材を介して前記下部部材の下部天面を挟圧する中間ナットと、前記上部部材の上部底面部の中心に固定され、前記部材固定ボルトに螺合する上部ナットと、を具備することを特徴とする。
【００１２】
（５）また、前記（１）〜（４）の何れかにおいて、前記上部部材が、上部天面および該上部天面の周囲に延設された上部側面から形成された上部本体部と、前記上部側面に固定された板状の上部底面部と、該上部底面部の周辺寄りに形成されて周囲貫通孔とを具備し、
前記周囲固定手段は、前記上部底面部に形成されて周囲貫通孔および前記ベース上部材を貫通し、前記ベース下部材および前記鋼製デッキの山頂面に螺合するタッピンねじであることを特徴とする。
【００１３】
（６）また、前記（４）または（５）において、前記防水補強シートは、前記上部部材の上部側面の一部または全部を包囲するシート筒状部と、該シート筒状部の一方の端部に連続して外方に向かって形成された平面状のシートフランジ部とを具備し、前記シート筒状部と前記上部側面とが溶剤系若しくは加熱溶融系等の接着手段によって接着され、前記シートフランジ部の外周が前記屋根防水シートに同様な接着手段によって接着されていること、および前記シート筒状部の端部と前記上部側面とが、防水シール等の接着手段によって接着され、シートフランジ部の外周が前記屋根防水シートに防水シール等の接着手段によって接着されていることを特徴とする。
（７）また、前記（１）〜（６）の何れかにおいて、前記下部部材の下部脚部の一部が、前記突条または谷底面の位置に隅肉溶接またはビス留めによって固定されていることを特徴とする。
（８）また、前記（１）〜（７）の何れかにおいて、前記下部部材の下部脚部に前記先端縁に対して傾斜した逃げ縁が形成され、前記逃げ縁同士の距離が、前記鋼製デッキの突条の先端同士の間隔よりも狭いことを特徴とする。
【００１４】
（９）本発明に係るデッキ下地屋根の設備設置用基礎の施工方法は、構造物を形成する梁の内の一対の梁に長手方向の端部がそれぞれ設置されたデッキ下地屋根に設備設置用基礎を取り付ける、デッキ下地屋根の設備設置用基礎の施工方法であって、
前記デッキ下地屋根が、曲げ加工された板金によって形成され、山頂面と、該山頂面に平行な谷底面と、前記山頂面と前記谷底面とを連結する傾斜面とから形成された波状断面の鋼製デッキと、前記山頂面に載置された屋根断熱材と、該屋根断熱材に載置された屋根防水シートと、を具備し、
前記設備設置用基礎が、前記一対の梁のうち一方の梁の直上で前記鋼製デッキの谷底面に取り付けられた下部部材と、前記鋼製デッキの山頂面と前記屋根断熱材との間に配置されたベース下部材と、前記屋根断熱材と前記屋根防水シートとの間に配置されたベース上部材と、前記屋根防水シートを介して前記ベース上部材に載置された上部部材と、該上部部材の一部と前記屋根防水シートの一部とに跨がって設置された防水補強シートと、を具備し、
前記下部部材と前記ベース下部材とを部材固定ボルトおよび該部材固定ボルトに螺合する中間ナットによって一体化する第１ステップと、
前記下部部材と前記ベース下部材とが一体化された一体物を前記デッキ下地屋根に取り付ける第２ステップと、
前記ベース下部材の上に前記部材固定ボルトが貫通する前記屋根断熱材を設置する第３ステップと、
前記屋根断熱材の上に前記部材固定ボルトが貫通する前記ベース上部材を設置する第４ステップと、
前記ベース上部材および前記屋根断熱材を覆い、前記部材固定ボルトが貫通する前記屋根防水シートを設置する第５ステップと、
前記屋根防水シートを介して前記ベース上部材の上に前記上部部材を設置して、前記部材固定ボルトに螺合する上部ナットによって、前記上部部材を前記下部部材に連結する第６ステップと、
前記上部部材と前記屋根防水シートとに跨がって前記防水補強シートを設置する第７ステップとを有することを特徴とする。
【００１５】
（１０）また、前記（９）において、前記第４ステップにおいて、前記ベース上部材、前記屋根断熱材および前記デッキ下地屋根の山頂部を貫通するタッピンネジを設置して、前記ベース上部材を前記デッキ下地屋根の山頂部に連結することを特徴とする。
（１１）また、前記（９）において、前記第６ステップまたは前記第７ステップにおいて、少なくとも前記上部部材、前記屋根防水シート、前記ベース上部材、前記屋根断熱材および前記デッキ下地屋根の山頂部を貫通するタッピンネジを設置して、前記上部部材を前記デッキ下地屋根の山頂部に連結することを特徴とする。
（１２）また、前記（９）において、前記ベース上部材に、前記屋根断熱材の厚さと略同じ長さの棒体であるベース支柱が形成され、前記第４ステップにおいて、前記ベース支柱が、前記屋根断熱材に突き刺さり、その先端が前記ベース下部材に当接することを特徴とする。
【００１６】
本発明に係るデッキ下地屋根の設備設置用基礎は、以下の効果を奏する。
（ｉ）下部部材が梁の直上で鋼製デッキの谷底面に取り付けられ、下部部材に中心固定手段によって上部部材が連結され、また、周囲固定手段によって鋼製デッキの山頂面に連結され、上部部材に設備を設置するための設備設置手段が設けられている。したがって、上部部材に設置された設備の自重等の荷重は、主に、中心固定手段を経由して、鋼製デッキの谷底面を介して梁に伝達されると共に、設備の自重等の荷重の一部は、ベース支柱を介して鋼製デッキの山頂面に伝達される構造になっている。
（イ）このため、鋼製デッキの山頂面に作用する荷重は少なく、しかも分散されるため、山頂面（上フランジ）あるいは側面部（ウエッブ）の局部的な変形、座屈あるいは圧壊が防止される。したがって、デッキ下地屋根自体が局部変形したり、崩壊したりするおそれが解消する。
（ロ）さらに、下部部材が梁の直上に取り付けられ、ベース支柱が梁の直上に配置されているから、鋼製デッキの曲げ変形が防止されている。このため、支持スパンを小さく（支持梁の間隔を狭く）したり、鋼製デッキを強化（厚肉化、高品質化）する必要がなく、特に、既存のデッキ下地屋根に取り付ける際の自由度が低下する（設置が困難になる場合がある）ことがない。
【００１７】
（ｉｉ）さらに、前記のように山頂面あるいは傾斜面の局部的な変形、座屈あるいは圧壊が防止され、しかも、ベース支柱は先細りであるから容易に屋根断熱材に突き刺すことができ、しかも、その長さが屋根断熱材の厚さに略同じであるから、屋根断熱材の沈下や割れ、あるいは屋根防水シートの沈下や断裂が防止され、断熱機構や防水機能の崩壊が防止される。また、ベース上部材とベース下部材とは細いベース支柱（断面積の小さい支柱先端平面）によって接続されているだけであるから、上部部材に伝達された設備または外部の熱が下部部材や鋼製デッキに伝達され難くなっている。
（ｉｉｉ）また、下部部材の下部脚部の先端縁が鋼製デッキの凹溝に侵入しているから、取り付けが容易であると共に、下部部材を鋼製デッキに確実に取り付けることができる。
【００１８】
（ｉｖ）また、中心固定手段は、部材固定ボルト、中間ナットおよび上部ナットを具備するから、構成が簡素であって、ベース下部材を下部部材に確実に固定することができ、また、上部部材と下部部材とを確実に連結することができる。また、中心固定手段と下部部材との間には断熱材が介在するから、設備または外部の熱が、上部部材および中固定手段を経由して梁に伝達され難くなっている。
（ｖ）また、前記周囲固定手段は、上部部材の上部底面部に形成されて周囲貫通孔等を貫通して、ベース下部材および鋼製デッキの山頂面に螺合するタッピンねじであるから、設置が容易であって、上部部材を移動（回転）不能にすると共に、ベース支柱６３の支柱先端平面をベース下部材に確実に押し付けることができる。
【００１９】
（ｖｉ）上部部材の上部側面と屋根防水シートとに跨がって防水補強シートが設置され、接着手段によって接着されているから、防水性が向上している。
（ｖｉｉ）さらに、下部部材の下部脚部の一部が、鋼製デッキの一部に隅肉溶接またはタッピンねじ留めによって固定されているから、デッキ下地屋根の設備設置用基礎が鋼製デッキに確実に取り付けられるため、設備設置用基礎としての信頼性が向上する。
（ｉｘ）さらに、下部部材の下部脚部に逃げ縁が形成されているから、逃げ縁を鋼製デッキの突条と平行し、下部脚部の先端を底面部に押し当てた状態で、下部部材を回転するだけで、下部脚部を容易かつ確実に鋼製デッキに取り付けることができる。
【図面の簡単な説明】
【００２０】
【図１】本発明の実施の形態１に係るデッキ下地屋根の設備設置用基礎を説明する正面視の断面図。
【図２Ａ】図１に示すデッキ下地屋根の設備設置用基礎の一部（防水補強シートおよび屋根防水シート）を透過して見た平面図。
【図２Ｂ】図１に示すデッキ下地屋根の設備設置用基礎の一部（防水補強シート、上部部材、屋根防水シート、ベース上部材および屋根断熱材）を透過して見た平面図。
【図２Ｃ】図１に示すデッキ下地屋根の設備設置用基礎の一部（防水補強シート、上部部材、屋根防水シート、ベース上部材、屋根断熱材およびベース下部材）を透過して見た平面図。
【図３Ａ】図１に示めされたデッキ下地屋根の設備設置用基礎を形成する下部部材を説明する平面図。
【図３Ｂ】図１に示めされたデッキ下地屋根の設備設置用基礎を形成する下部部材を説明する正面視の断面図（図３ＡにおけるＡ−Ａ断面）。
【図３Ｃ】図１に示めされたデッキ下地屋根の設備設置用基礎を形成する下部部材を説明する側面図。
【図４Ａ】図１に示めされたデッキ下地屋根の設備設置用基礎を形成する上部部材を説明する平面図。
【図４Ｂ】図１に示めされたデッキ下地屋根の設備設置用基礎を形成する上部部材を説明する一部を断面にした正面図。
【図５Ａ】図１に示めされたデッキ下地屋根の設備設置用基礎を形成する下部断熱材を説明する平面図。
【図５Ｂ】図１に示めされたデッキ下地屋根の設備設置用基礎を形成する下部断熱材を説明する正面視の断面図。
【図６Ａ】図１に示めされたデッキ下地屋根の設備設置用基礎を形成する中間断熱材を説明する平面図。
【図６Ｂ】図１に示めされたデッキ下地屋根の設備設置用基礎を形成する中間断熱材を説明する正面視の断面図。
【図７Ａ】図１に示めされたデッキ下地屋根の設備設置用基礎を形成するベース下部材を説明する斜視図。
【図７Ｂ】図１に示めされたデッキ下地屋根の設備設置用基礎を形成するベース上部材を説明する斜視図。
【図８】本発明の実施の形態２に係るデッキ下地屋根の設備設置用基礎の施工方法を説明する、各部材を分離して相互の上下関係を示す正面視の断面図。
【図９Ａ】本発明の実施の形態２に係るデッキ下地屋根の設備設置用基礎の施工方法を説明する、取り付け初期を示す一部を透過して見た部分平面図。
【図９Ｂ】本発明の実施の形態２に係るデッキ下地屋根の設備設置用基礎の施工方法を説明する、取り付け終了時を示す一部を透過して見た部分平面図。
【発明を実施するための形態】
【００２１】
［実施の形態１］
図１〜図２Ｃは本発明の実施の形態１に係るデッキ下地屋根の設備設置用基礎を説明するものであって、図１は正面視の断面図、図２Ａは一部（防水補強シートおよび屋根防止シート）を透過して見た平面図、図２Ｂは一部（防水補強シート、上部部材、屋根防水シート、ベース上部材および屋根断熱材）を透過して見た平面図、図２Ｃは一部（防水補強シート、上部部材、屋根防水シート、ベース上部材、屋根断熱材およびベース下部材）を透過して見た平面図である。
なお、各図は模式的に示すものであって、誇張して描いた部分がある。また、以降の各図（図３Ａ〜図９Ｂ）において、図１〜図２Ｃと同じ部分にはこれと同じ符号を付し、一部の説明を省略する。また、以降の各図も模式的に示すものであって、誇張して描いた部分がある。
【００２２】
（デッキ下地屋根の設備設置用基礎）
図１において、デッキ下地屋根の設備設置用基礎（以下「設備設置用基礎」と称す）２００は、図示しない構造物を形成する梁の内の一対の梁に、長手方向の端部がそれぞれ設置されたデッキ下地屋根１００に取り付けられるものである。
なお、本発明において「設備」とは、太陽光発電をするためのソーラパネルユニットや水加熱をするための温水ユニット等の設備、あるいは、エアコンの室外ユニット等の設備であって、建造物の屋根に固定される各種設備を総称したものである。
【００２３】
（デッキ下地屋根１００）
図１において、デッキ下地屋根１００は、互いに側縁において連結されて複数枚の鋼製デッキ１０と、山頂面１３ａ、１３ｂに載置された屋根断熱材９１と、屋根断熱材９１に載置された屋根防水シート９２と、を具備している。
【００２４】
（鋼製デッキ）
図１〜図２Ｃにおいて、鋼製デッキ１０は、曲げ加工された板金によって形成され、山頂面１３ａ、１３ｂと、山頂面１３ａ、１３ｂに平行な谷底面１４ａ、１４ｂ、１４ｃと、山頂面１３ａと谷底面１４ａとを連結する傾斜面１５ａと、山頂面１３ａと谷底面１４ｂとを連結する傾斜面１５ｂと、山頂面１３ｂと谷底面１４ｂとを連結する傾斜面１５ｃと、山頂面１３ｂと谷底面１４ｃとを連結する傾斜面１５ｄと、を具備している。
【００２５】
鋼製デッキ１０は、正面視（スパン方向と直角な方向の縦断面に同じ）において、山頂面１３ａ、１３ｂに近づく程、対向する傾斜面１５ｂと傾斜面１５ｃとの距離が拡大する略コ字状の波状のジグザク形状を呈している。すなわち、傾斜面１５ｂと谷底面１４ｂと傾斜面１５ｃとによって形成される上方が広くなった略コ字状の空間（溝）が形成されている。
また、傾斜面１５ａ、１５ｂ、１５ｃ、１５ｄには、それぞれ複数の押圧加工により形成させたエンボス１９ａ、１９ｂ、１９ｃ、１９ｄが形成されている。
【００２６】
そして、谷底面１４ａの側縁（傾斜面１５ａの反対側）には、鋼製デッキ１０同士を連結するための連結部１６ａが形成され、谷底面１４ｃの側縁（傾斜面１５ｄの反対側）には、鋼製デッキ１０同士を連結するための連結部１６ｂが形成されている。
すなわち、一方の鋼製デッキ１０の連結部１６ａと他方の鋼製デッキ１０の連結部１６ｂとが互いに係合することによって、一方の鋼製デッキ１０の連結部１６ａと他方の鋼製デッキ１０とが連結される。また、一方の鋼製デッキ１０の傾斜面１５ａおよび谷底面１４ａと、他方の鋼製デッキ１０の傾斜面１５ｄおよび谷底面１４ｃとによって、上方が広くなった空間（溝）が形成される。
また、連結部１６ａは下方が開口した略Ｊ字状であり、連結部１６ｂは上方が開口した略Ｊ字状であるから、両者を係合して連結した際、当該連結部から、鋼製デッキ１０上にコンクリートを打設した場合であっても打設されるコンクリート（図示しない）が流れ出すことがない。なお、連結部１６ａを上方が開口した略Ｊ字状にして、連結部１６ｂを下方が開口した略Ｊ字状にしてもよい。
【００２７】
さらに、傾斜面１５ａには谷底面１４ａに近い位置に谷底面１４ａと平行で、連結部１６ａの側に突出した突条１７ａが形成され、突条１７ａと谷底面１４ａとの間に凹溝１８ａが形成されている。同様に、傾斜面１５ｂには谷底面１４ｂに近い位置に谷底面１４ｂと平行で傾斜面１５ｃ側に突出した突条１７ｂが形成され、突条１７ｂと谷底面１４ｂとの間に凹溝１８ｂが形成され、傾斜面１５ｃには谷底面１４ｂに近い位置に谷底面１４ｂと平行で傾斜面１５ｂ側に突出した突条１７ｃが形成され、突条１７ｃと谷底面１４ｂとの間に凹溝１８ｃが形成され、傾斜面１５ｄには谷底面１４ｃに近い位置に谷底面１４ｃと平行で連結部１６ｂ側に突出した突条１７ｄが形成され、突条１７ｄと谷底面１４ｃとの間に凹溝１８ｄが形成されている。これらの鋼製デッキ１０をデッキ幅方向（スパン方向と直角な方向）を適宜複数枚敷き並べて、連結部１６ａ、１６ｂにより連結するものである。
なお、鋼製デッキ１０の形状は、図に示した実施例に限定されるものではなく、山形状や谷形状、若しくはそれらのプロポーション、およびエンボス１９ａ〜１９ｄの形状・個数（形成しないを含む）等は、適宜選択できるものである。
【００２８】
（屋根断熱材、屋根防水シート）
図１において、屋根断熱材９１は、板状であって、例えば、フェノールフォーム等の、空気を含む軽量材（発泡材料等）によって形成されている。また、屋根防水シート９２は、合成樹脂系シートやアスファルト系シート等であって、その材質や厚さ等を限定するものではないが、所定の環境対応性（日射や雨滴に暴露された際に、劣化し難い性質）を有している。
【００２９】
（設備設置用基礎）
図１〜図２Ｃにおいて、設備設置用基礎２００は、下部部材２０、ベース下部材５０、ベース上部材６０、上部部材４０、およびこれらを連結する部材固定ボルト８１を主な構成部材にしている。
すなわち、下部部材２０は構造物（図示しない）の梁９０の直上で鋼製デッキ１０の谷底面１４ｂに取り付けられ、隅肉溶接８６ａ、８６ｂ（図８参照）によって固定されている。
ベース下部材５０は中間断熱材３２を介して、部材固定ボルト８１と中間ナット８４とによって下部部材２０に取り付けられ、タッピンねじ８８によって鋼製デッキ１０の山頂面１３ａ、１３ｂに固定されている。なお、後記するように、ベース下部材５０にはタッピンねじ８８およびタッピンねじ８７が螺合するため、タッピンねじ８８の設置を省略してもよい。
【００３０】
ベース上部材６０は、屋根断熱材９１の上に載置され、屋根断熱材９１を貫通するタッピンねじ８９によって鋼製デッキ１０の山頂面１３ａ、１３ｂに固定されている。
上部部材４０は、屋根防水シート９２を介してベース上部材６０の上に載置され、部材固定ボルト８１に螺合する上部ナット８５が隅肉溶接８５ｗによって溶接固定され、防水補強シート９３によって略全面が覆われている。そして、上部部材４０は、防水補強シート９３、屋根防水シート９２、ベース上部材６０、屋根断熱材９１およびベース下部材５０を貫通するタッピンねじ８９によって鋼製デッキ１０の山頂面１３ａ、１３ｂに固定されている。以下、各部材について、それぞれ図面を参照して説明する。
【００３１】
（下部部材）
図３Ａ〜図３Ｃは、図１に示めされたデッキ下地屋根の設備設置用基礎を形成する下部部材を説明するものであって、図３Ａは平面図、図３Ｂは正面視の断面図（図３ＡにおけるＡ−Ａ断面）、図３Ｃは側面図である。
【００３２】
図３Ａ〜図３Ｃにおいて、下部部材２０は、下部天面２２および下部天面２２の両側縁から下方に延設された下部側面２３ａ、２３ｂから形成された断面略Ｕ字状の下部本体部２１と、下部側面２３ａ、２３ｂの下端から互いに離れる方向に突出した下部脚部２７ａ、２７ｂとを具備している。
このとき、下部天面２２と下部側面２３ａ、２３ｂとの境界や、下部側面２３ａ、２３ｂと下部脚部２７ａ、２７ｂとの境界は、滑らかな断面略円弧（略円形断面の筒の一部に同じ）によって繋がっている。
そして、下部天面２２に下部貫通孔２４が形成されている。
【００３３】
また、下部脚部２７ａ、２７ｂはそれぞれ下部側面２３ａ、２３ｂから互いに離れる方向に延設され、下部天面２２と下部側面２３ａ、２３ｂとの境界に平行（境界を形成する滑らかな略円形断面の筒の中心軸に平行）な下部先端縁２８ａ、２８ｂと、下部先端縁２８ａ、２８ｂに対して所定の角度を具備する下部逃げ縁２９ａ、２９ｂとを具備する。このとき、下部逃げ縁２９ａと下部逃げ縁２９ｂとは平行になっている。
【００３４】
そして、下部部材２０の製造方法は限定するものではないが、前記のように簡素な形状であるから、例えば、板材を機械加工またはブランキングした後、曲げ加工するだけで、容易かつ安価に製造することができる。
また、下部部材２０は複数の部材を接合することによって形成してもよい。例えば、下部本体部２１と下部脚部２７ａと下部脚部２７ｂとをそれぞれ別材料の板材によって形成し、それぞれを接合してもよい。
また、下部脚部２７ａ、２７ｂは、下部逃げ縁２９ａ、２９ｂを有しない矩形状にしてもよい。さらに、下部本体部２１を板材によって形成し、下部脚部２７ａおよび下部脚部２７ｂをそれぞれコ字状に曲げ加工した線材・棒材等によって形成し、コ字状に形成された両端部を下部側面２３ａ、２３ｂの下縁に接合するようにしてもよい。
【００３５】
（上部部材）
図４Ａおよび図４Ｂは、図１に示めされたデッキ下地屋根の設備設置用基礎を形成する上部部材を説明するものであって、図４Ａは平面図、図４Ｂは一部を断面にした正面図である。
図４Ａおよび図４Ｂにおいて、上部部材４０は、上部天面４２と、上部天面４２の周囲に延設された上部側面４３から形成された上部本体部４１と、上部本体部４１の下端（上部天面４２とは反対側の端部）に固定された板状の上部底面部４４とを具備している。
そして、上部底面部４４の中央には、中心貫通孔４５が形成され、中心貫通孔４５の直上に、その内面ネジ部が位置するように六角ナット（以下「上部ナット」と称す）８５が隅肉溶接８５ｗによって固定されている。また、上部底面部４４の外周に沿って、複数の周囲貫通孔４６が形成されている。さらに、上部天面４２には、設備（図示しない）を設置するための、設備設置手段４７が設けられている。
【００３６】
なお、設備設置手段４７として、上部天面４２に固定されたボルトを示しているが、設置される設備に応じて、適宜変更してもよい。
また、上部本体部４１と天井付きの円筒を示しているが、本発明はこれに限定するものではなく、天井付きの四角筒や、短尺の断面コ字状の溝形鋼（チャンネル材）であってもよい。また、上部底面部４４についても、円板に限定するものではない。
さらに、周囲貫通孔４６の内径を小さくして、タッピンねじ８７（図１、図８等参照）によってねじが形成される「ねじ下穴」にしてもよい。
【００３７】
（断熱材）
図５Ａ〜図６Ｂは、図１に示めされたデッキ下地屋根の設備設置用基礎を形成する断熱材を説明するものであって、図５Ａは下部断熱材を示す平面図、図５Ｂは下部断熱材を示す正面視の断面図、図６Ａは中間断熱材を示す平面図、図６Ｂは中間断熱材を示す正面視の断面図である。
図５Ａおよび図５Ｂにおいて、下部部材２０の下部天面２２の下面に当接する下部断熱材３１は、中心に下部断熱材孔３１ａが形成され、下部貫通孔２４の周囲において下部天面２２の下面に当接する下部断熱材面３１ｂと、下部貫通孔２４に侵入する下部断熱材凸部３１ｃとを具備している。
図６Ａおよび図６Ｂにおいて、下部部材２０の下部天面２２の上面に当接する中間断熱材３２は、中心に中間断熱材孔３２ａが形成され、下部貫通孔２４の周囲において下部天面２２の上面に当接する中間断熱材面３２ｂを具備している。
なお、下部断熱材３１および中間断熱材３２は、エンジニアプラスチックの一種であるＡＢＳ樹脂によって成型されているが、本発明はこれに限定するものではなく、所定の断熱性と所定の強度を有する材料であれば何れであってもよい。
【００３８】
（ベース下部材、ベース上部材）
図７Ａおよび図７Ｂは、それぞれ図１に示めされたデッキ下地屋根の設備設置用基礎を形成するベース下部材およびベース上部材を説明する斜視図である。
図７Ａにおいて、ベース下部材５０は矩形状の板材（例えば、鋼板）であって、中心に部材固定ボルト８１が貫通する中心貫通孔５１と、対向する一対の側縁寄りに、周囲貫通孔５２が形成されている。
図７Ｂにおいて、ベース上部材６０は矩形状の板材（例えば、鋼板）であって、中心に部材固定ボルト８１が貫通する中心貫通孔６１と、貫通孔６２が形成され、一方の面に垂直なベース支柱６３が複数本固定されている。
ベース支柱６３は、屋根断熱材９１の厚さと略同じ長さであって、例えば外径３ｍｍ程度の丸棒で先端部分がテーパ状に細くなり、先端に長手方向に垂直な、例えば外径２ｍｍの支柱先端平面６４が形成されている。なお、ベース支柱６３として、１列に４本で、４列に渡って配置されたものを図示しているが、本発明はその本数や配置形態を限定するものではない。
【００３９】
（作用効果）
設備設置用基礎２００は前記構成であって、前記要領でデッキ下地屋根１００を形成する鋼製デッキ１０に取り付けられるから、以下の作用効果を奏する。
（イ）上部部材４０に設置された設備の自重等の荷重は、主に、部材固定ボルト８１を経由して、鋼製デッキ１０の谷底面１４ｂを介して梁９０に伝達され、設備の自重等の荷重の一部は、ベース支柱６３を経由してベース下部材を介して山頂面１３ａ、１３ｂに伝達される構造になっていることから、山頂面１３ａ、１３ｂに作用する荷重は少なく、しかも分散されるため、山頂面１３ａ、１３ｂあるいは傾斜面１５ａ、１５ｂ、１５ｃ、１５ｄの局部的な変形、座屈あるいは圧壊が防止される。したがって、デッキ下地屋根１００が変形したり、崩壊したりするおそれが解消する。
（ロ）さらに、前記のように山頂面１３ａ、１３ｂあるいは傾斜面１５ａ、１５ｂ、１５ｃ、１５ｄの局部的な変形、座屈あるいは圧壊が防止され、しかも、屋根断熱材９１に突き刺されたベース支柱６３の長さが屋根断熱材９１の厚さに略同じであるから、屋根断熱材９１の沈下や割れ、あるいは屋根防水シート９２の沈下や断裂が防止され、断熱機構や防水機能の崩壊が防止される。
（ハ）さらに、下部部材２０が梁９０の直上に取り付けられているから、鋼製デッキ１０の曲げ変形が防止されている。このため、支持スパンを小さく（支持梁の間隔を狭く）したり、鋼製デッキ１０を強化（厚肉化、高品質化）したりする必要がなく、特に、既存のデッキ下地屋根に取り付ける際の自由度が低下する（設置が困難になる場合がある）ことがない。
【００４０】
（ニ）また、下部部材２０の下部脚部２７ａ、２７ｂとの下部先端縁２８ａ、２８ｂが鋼製デッキ１０の凹溝１８ｂ、１８ｃに侵入しているから、取り付けが容易であると共に、設備の荷重が確実に鋼製デッキ１０に伝達される。
（ホ）また、ベース上部材６０とベース下部材５０との間には屋根断熱材９１が配置され、ベース上部材６０とベース下部材５０とは細いベース支柱６３（断面積の小さい支柱先端平面６４）によって接続されているだけであるから、上部部材４０に伝達された設備または外部の熱が下部部材２０（鋼製デッキ１０）に伝達され難くなっている。
（ヘ）また、部材固定ボルト８１が、下部断熱材３１の下部断熱材孔３１ａおよび中間断熱材３２の中間断熱材孔３２ａを貫通し、下部部材２０に直接接触していないから、上部部材４０に伝達された設備または外部の熱が下部部材２０に伝達され難くなっている。
【００４１】
（ト）また、上部部材４０が、部材固定ボルト８１および上部ナット８５（中心固定手段に相当する）によって、下部天面２２にベース上部材６０等を介して固定されるから、固定が容易かつ確実になる。
（チ）また、上部部材４０が、周囲貫通孔４６およびタッピンねじ８７（周囲固定手段に相当する）によって、山頂面１３ａ、１３ｂにベース上部材６０等を介して固定されるから、固定が容易かつ確実になると共に、上部部材４０は鋼製デッキ１０（下部部材２０）に対する回転が不能になっている。
【００４２】
（リ）さらに、下部部材２０の下部脚部２７ａ、２７ｂの一部が、鋼製デッキ１０の一部に隅肉溶接８６ａ、８６ｂによって固定されているから、デッキ下地屋根１００への設備設置用基礎２００が鋼製デッキ１０に確実に取り付けられるため、設備設置用基礎２００としての信頼性が向上する。
（ヌ）さらに、下部部材２０の下部脚部２７ａ、２７ｂに下部逃げ縁２９ａ、２９ｂが形成されているから、下部逃げ縁２９ａ、２９ｂを鋼製デッキ１０の突条１７ｂ、１７ｃと平行にし、下部脚部２７ａ、２７ｂの先端を谷底面１４ｂに押し当てた状態で、下部部材２０を回転するだけで、設備設置用基礎２００を容易かつ確実に鋼製デッキ１０に取り付けることができる。
【００４３】
（変形例）
以上は、上部部材４０の上部本体部４１を天井付きの筒体としているが、本発明はこれに限定するものではなく、短尺の断面コ字状の溝形鋼（チャンネル材）にしてもよい。このとき、溝形鋼のウエッブを上部天面として、フランジの先端を上部底面部４４に固定すれば、上部ナット８５に触れることができるから、上部ナット８５を上部底面部４４に溶接固定する必要がなくなる。すなわち、上部底面部４４の中心貫通孔４５に部材固定ボルト８１を通して、上部ナット８５を回転することによって、部材固定ボルト８１に上部ナット８５を螺合する。そして、上部ナット８５をダブルナットにして、緩み防止を図ってもよい。
【００４４】
［実施の形態２］
図８〜図９Ｂは、本発明の実施の形態２に係るデッキ下地屋根の設備設置用基礎の施工方法を説明するものであって、図８は各部材を分離して相互の上下関係を示す正面視の断面図、図９Ａは取り付け初期を示す一部を透過して見た部分平面図、図９Ｂは取り付け終了時を示す一部を透過して見た部分平面図である。
【００４５】
図８において、デッキ下地屋根の設備設置用基礎の施工方法は、設備設置用基礎２００をデッキ下地屋根１００に取り付けるものであって、下部部材２０とベース下部材５０とを一体化する第１ステップ（Ｓ１）と、予め一体化されている下部部材２０とベース下部材５０との一体物を鋼製デッキ１０に取り付ける第２ステップ（Ｓ２）と、ベース下部材５０の上に屋根断熱材９１を設置する第３ステップ（Ｓ３）と、屋根断熱材９１の上にベース上部材６０を設置する第４ステップ（Ｓ４）と、ベース上部材６０および屋根断熱材９１を覆う屋根防水シート９２を設置する第５ステップ（Ｓ５）とによって、デッキ下地屋根１００を完成させる。
さらに、屋根防水シート９２を介してベース上部材６０の上に上部部材４０を設置する第６ステップ（Ｓ６）と、上部部材４０と屋根防水シート９２とに跨がった防水補強シート９３を設置する第７ステップ（Ｓ７）とによって設備設置用基礎２００を完成させる。以下、それぞれの工程について説明する。
【００４６】
（Ｓ１：下部部材とベース下部材との一体化）
下部部材２０とベース下部材５０とを一体化するのは、下部断熱材３１の下部断熱材凸部３１ｃを下部部材２０の下部貫通孔２４に挿入した状態で、下部断熱材３１の下部断熱材面３１ｂと中間断熱材３２の中間断熱材面３２ｂとによって下部天面２２を挟む。そして、下部断熱材３１の下面に下部座金８２を当接し、中間断熱材３２の上面にベース下部材５０を当接し、下部座金８２、下部断熱材孔３１ａ、下部貫通孔２４、中間断熱材孔３２ａおよび中心貫通孔５１を貫通する部材固定ボルト８１に、中間ナット８４を螺合して、下部部材２０にベース下部材５０を固定する（図８参照）。
なお、以上は、予め下部部材２０とベース下部材５０とを一体化するものであるが、本発明はこれに限定するものではなく、下部部材２０を鋼製デッキ１０に取り付けた後、鋼製デッキ１０に取り付けられている下部部材２０にベース下部材５０を固定するようにしてもよい。
【００４７】
（Ｓ２：一体物の固定）
ベース下部材５０が一体化している下部部材２０（両者の一体物に同じ）を鋼製デッキ１０に取り付ける（これについては別途詳細に説明する）。下部部材２０が鋼製デッキ１０に取り付けられた状態で、ベース下部材５０の下面が鋼製デッキ１０の山頂面１３ａ、１３ｂに当接または近接している。そこで、周囲貫通孔５２を貫通するタッピンねじ８８によって、ベース下部材５０を山頂面１３ａ、１３ｂに固定する。
なお、山頂面１３ａ、１３ｂの周囲貫通孔５２の位置に対応した位置に「ねじ下孔」を形成しておき、タッピンねじ８８に代えて「ビス（短尺のねじ）」を用いてもよい。
【００４８】
（Ｓ３：屋根断熱材の設置）
ベース下部材５０が鋼製デッキ１０に固定された後、ベース下部材５０の上に屋根断熱材９１を設置する。このとき、屋根断熱材９１には部材固定ボルト８１が貫通する屋根断熱材貫通孔９１ａが形成されている。なお、屋根断熱材９１に屋根断熱材貫通孔９１ａを形成せず、屋根断熱材９１の設置時に部材固定ボルト８１を突き刺すことで孔を形成してもよい。
【００４９】
（Ｓ４：ベース上部材の固定）
そして、屋根断熱材９１にベース下部材５０のベース支柱６３を突き刺し、支柱先端平面６４を鋼製デッキ１０の山頂面１３ａ、１３ｂに押し付ける。
さらに、タッピンねじ８９を、周囲貫通孔６２を貫通させ、屋根断熱材９１に押し込み、ベース下部材５０および山頂面１３ａ、１３ｂにねじを加工しながら、これらを貫通させる。すなわち、ベース上部材６０は、中心貫通孔６１を部材固定ボルト８１が貫通した状態で、タッピンねじ８９によって鋼製デッキ１０に固定されている。
【００５０】
（Ｓ５：デッキ下地屋根の完成）
ベース上部材６０が鋼製デッキ１０に固定されたところで、ベース上部材６０および屋根断熱材９１を覆うように屋根防水シート９２を設置する。このとき、部材固定ボルト８１は屋根防水シート９２に形成されてシート貫通孔９２ａを貫通して、上方に突出しているが、この段階で、デッキ下地屋根１００が完成する。
【００５１】
（Ｓ６：上部部材の固定）
完成したデッキ下地屋根１００の上に上部部材４０を固定する。すなわち、上部部材４０に固定されている上部ナット８５に部材固定ボルト８１を螺合することによって、上部底面部４４を屋根防水シート９２（ベース上部材６０）に押し付ける。
そこで、上部部材４０の上部底面部４４の上面を覆い、上部側面４３の一部と屋根防水シート９２の一部とに跨がって防水補強シート９３を設置する。
そして、タッピンねじ８７を、防水補強シート９３、周囲貫通孔４６および屋根防水シート９２を貫通させ、ベース上部材６０にねじを加工しながら、これらを貫通させ、さらに、屋根断熱材９１を貫通して、ベース下部材５０および山頂面１３ａ、１３ｂにねじを加工しながら、これらを貫通させる。
すなわち、上部部材４０は、部材固定ボルト８１に螺合した上部ナット８５によって下部部材２０に固定され、タッピンねじ８７によって鋼製デッキ１０に固定されている。
【００５２】
（Ｓ７：防水補強シートの設置）
防水補強シート９３は上部本体部４１を包囲するシート筒状部９３ａと、シート筒状部９３ａの一方の端部に連続して外方に向かって形成された平面状のシートフランジ部９３ｂとを具備している。そして、シート筒状部９３ａと上部側面４３とが、溶剤溶着等の接着手段によって接着され、シートフランジ部９３ｂが屋根防水シート９２に溶剤系若しくは加熱溶融系等接着手段によって接着されている。（図１参照）
さらに、シート筒状部９３ａの端部と上部側面４３とが、接着手段９３ｃによって接着され、シートフランジ部９３ｂの外周が屋根防水シート９２に接着手段９３ｄによって接着されている。ここで、接着手段９３ｃ、９３ｄは、防水シール剤・コーキング剤であるが、これに限定するものではなく、両部材に跨がって防水テープを貼り付けてもよい。
なお、以上は、防水補強シート９３を設置した後でタッピンねじ８７を設置しているが、本発明はこれに限定するものではなく、タッピンねじ８７を先に設置し、その後で防水補強シート９３を設置してもよい。
【００５３】
（Ｓ２：下部部材の鋼製デッキへの取り付け）
図９Ａおよび図９Ｂにおいて、ベース下部材５０が一体化されている設備設置用基礎２００のデッキ下地屋根１００に取り付ける要領は、まず、下部部材２０の下部逃げ縁２９ａ、２９ｂが、鋼製デッキ１０の突条１７ｂ、１７ｃの先端と平行になった状態で、下部部材２０の下部脚部２７ａ、２７ｂを、鋼製デッキ１０の谷底面１４ｂに押し付ける。すなわち、下部逃げ縁２９ａと下部逃げ縁２９ｂとの距離Ｌ（図９Ｂ参照）が、突条１７ｂと突条１７ｃとの距離Ｈよりも小さくなっている（Ｌ＜Ｈ）から、下部逃げ縁２９ａ、２９ｂは突条１７ｂ、１７ｃの先端に干渉することはない（図９Ａ参照）。
【００５４】
そこで、下部脚部２７ａ、２７ｂを鋼製デッキ１０の谷底面１４ｂに押し付けたまま、下部部材２０を、谷底面１４ｂの法線を回転の中心にして回転する。このとき、ベース下部材５０の下面が山頂面１３ａ、１３ｂの一部に当接（摺動）または近接する。
そうすると、下部部材２０の下部先端縁２８ａ、２８ｂは、それぞれ凹溝１８ｂ、１８ｃ内に侵入し、凹溝１８ｂ、１８ｃによって、下部脚部２７ａと下部脚部２７ｂ（下部先端縁２８ａと下部先端縁２８ｂに同じ）とが互いに近づく方向に把持され、かつ、突条１７ｂ、１７ｃ（正確には、凹溝１８ｂ、１８ｃを形成する突条１７ｂ、１７ｃの下側の面）によって下方に押し付けられる（図９Ｂ参照）。
すなわち、下部部材２０の回転初期は、下部先端縁２８ａと下部逃げ縁２９ａとの交差部（角部）、および下部先端縁２８ｂと下部逃げ縁２９ｂとの交差部（角部）が、それぞれ凹溝１８ｂおよび凹溝１８ｃに強く当接（摺動）して、下部側面２３ａ、２３ｂを弾性変形させ、さらに、下部部材２０の回転が進んだところで、下部先端縁２８ａ、２８ｂと凹溝１８ｂ、１８ｃとが平行になる。
【００５５】
このとき、下部先端縁２８ａと下部先端縁２８ｂとの距離Ｍ（図９Ａ参照）が、凹溝１８ｂの奥（凹溝１８ｂを形成する突条１７ｂの下面と谷底面１４ｂとが交差する部分に相当する）と凹溝１８ｃの奥（凹溝１８ｃを形成する突条１７ｃの下面と谷底面１４ｂとが交差する部分に相当する）との距離Ｇよりも長くなっている（Ｍ＞Ｇ）から、下部側面２３ａ、２３ｂの弾性変形量は減少するものの、依然、弾性変形した状態であるから、前記のように、下部部材２０の下部先端縁２８ａ、２８ｂは、凹溝１８ｂ、１８ｃによって把持される。
したがって、下部部材２０は、簡単な操作によって、鋼製デッキ１０と確実に当接し、互いに力を受け渡すことができる状態になっている。
さらに、下部部材２０の下部脚部２７ａ、２７ｂの一部を、鋼製デッキ１０の一部（突条１７ｂ、１７ｃ）に隅肉溶接８６ａ、８６ｂによって固定する。なお、隅肉溶接８６ａ、８６ｂに代えてタッピンねじ留めしてもよく、あるいは、タッピンねじ８７によって、下部部材２０は移動不能に固定（間接的に固定）されているから、隅肉溶接８６ａ、８６ｂを省略してもよい。
【産業上の利用可能性】
【００５６】
本発明は以上の構成であるから、デッキ下地屋根に設置される設備の荷重が鋼製デッキの山部分に局部的に作用しないため、各種機能を発揮する様々な重量の設備を設置するためのデッキ下地屋根の設備設置用基礎として広く利用することができる。
【符号の説明】
【００５７】
１０   鋼製デッキ
１３ａ 山頂面
１３ｂ 山頂面
１４ａ〜１４ｃ 谷底面
１５ａ〜１５ｄ 傾斜面
１６ａ 連結部
１６ｂ 連結部
１７ａ〜１７ｄ 突条
１８ａ〜 １８ｄ 凹溝
１９ａ〜１９ｄ エンボス
２０   下部部材
２１   下部本体部
２２   下部天面
２３ａ 下部側面
２３ｂ 下部側面
２４   下部貫通孔
２７ａ 下部脚部
２７ｂ 下部脚部
２８ａ 下部先端縁
２８ｂ 下部先端縁
２９ａ 下部逃げ縁
２９ｂ 下部逃げ縁
３１   下部断熱材
３１ａ 下部断熱材孔
３１ｂ 下部断熱材面
３１ｃ 下部断熱材凸部
３２   中間断熱材
３２ａ 中間断熱材孔
３２ｂ 中間断熱材面
４０ 上部部材
４１ 上部本体部
４２ 上部天面
４３ 上部側面
４４ 上部底面部
４５ 中心貫通孔
４６ 周囲貫通孔
４７ 設備設置手段
５０ ベース下部材
５１ 中心貫通孔
５２ 周囲貫通孔
６０ ベース上部材
６１ 中心貫通孔
６２ 貫通孔
６３ ベース支柱
６４ 支柱先端平面
８１ 部材固定ボルト
８２ 下部座金
８４ 中間ナット
８５ 上部ナット
８５ｗ 隅肉溶接
８６ａ 隅肉溶接
８６ｂ 隅肉溶接
８７ タッピンねじ
８８ タッピンねじ
８９ タッピンねじ
９０ 梁
９１ 屋根断熱材
９１ａ 屋根断熱材貫通孔
９２ 屋根防水シート
９２ａ シート貫通孔
９３ 防水補強シート
９３ａ シート筒状部
９３ｂ シートフランジ部
９３ｃ 接着手段
９３ｄ 接着手段
１００ デッキ下地屋根
２００ 設備設置用基礎
【図１】
2014185456.tif 000003
【図２Ａ】
2014185456.tif 000004
【図２Ｂ】
2014185456.tif 000005
【図２Ｃ】
2014185456.tif 000006
【図３Ａ】
2014185456.tif 000007
【図３Ｂ】
2014185456.tif 000008
【図３Ｃ】
2014185456.tif 000009
【図４Ａ】
2014185456.tif 000010
【図４Ｂ】
2014185456.tif 000011
【図５Ａ】
2014185456.tif 000012
【図５Ｂ】
2014185456.tif 000013
【図６Ａ】
2014185456.tif 000014
【図６Ｂ】
2014185456.tif 000015
【図７Ａ】
2014185456.tif 000016
【図７Ｂ】
2014185456.tif 000017
【図８】
2014185456.tif 000018
【図９Ａ】
2014185456.tif 000019
【図９Ｂ】
2014185456.tif 000020